【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
印刷版の上に印刷画像を付与する方法であって、
ａ）  前記印刷版の基準縁部が実質的に円周方向にドラムの周りに延在する向きで、前記印刷ドラムの上に前記印刷版を取り付けることを含み、
ｂ）  前記基準縁部上の少なくとも１つの地点の場所を決定することを含み、該決定することは、各地点のために、
i)  各地点と関連する前記基準縁部の少なくとも一部を含む領域を照明することと、
ii)  前記領域の少なくとも１つのデジタルカメラ画像を取り込むことと、
iii)  前記デジタルカメラ画像内の前記基準縁部の前記少なくとも一部を位置付けることとを含み、
ｃ）  前記少なくとも１つの地点の少なくとも前記決定された場所と整列して前記印刷画像を前記印刷版上に付与することを含み、前記少なくとも１つの地点は、前記基準縁部上の少なくとも２つの円周方向に離間する地点を含み、
当該方法は、さらに、
ｄ）  変換印刷画像データを生むために、前記少なくとも２つの円周方向に離間した地点の前記決定された場所に従って前記印刷画像を表す印刷画像データを変換することを含み、
ｅ）  前記変換印刷画像データを使用して前記印刷画像を前記印刷版上に付与することを含み、該付与される印刷画像は、前記基準縁部と整列される、
方法。
【請求項２】
ａ）  前記領域の第一デジタルカメラ画像を取り込むことを含み、
ｂ）  前記領域内に影を形成することを含み、該影は、前記基準縁部の前記少なくとも一部に形成され、
ｃ）  前記領域の第二デジタルカメラ画像を取り込むことを含み、前記領域は、前記影を含み、
ｄ）  前記第一デジタルカメラ画像及び第二デジタルカメラ画像を比較することによって、前記基準縁部の前記少なくとも一部を位置付けることを含む、
請求項１に記載の方法。
【請求項３】
前記少なくとも１つのデジタルカメラ画像の前記取り込みのために動作可能なデジタルカメラを含み、当該方法は、さらに、前記取込み中に前記デジタルカメラを前記画像処理ドラムに対して軸方向に移動することを含み、前記少なくとも１つの地点の前記場所を決定することは、
ａ）  各地点で前記画像処理ドラムの回転位置を決定すること、及び、
ｂ）  前記ドラムに対する前記デジタルカメラの軸方向位置を決定することのうちの少なくとも１つを含む、
請求項１に記載の方法。
【請求項４】
前記少なくとも１つのデジタルカメラ画像の前記取込みのために動作可能なデジタルカメラを含み、前記照明中に光の点滅パルスを放射することをさらに含み、前記少なくとも１つのデジタルカメラ画像は、前記光の点滅パルスによって照明される画像を含み、前記少なくとも１つのデジタルカメラは、
ａ）  前記デジタルカメラによって取り込まれる第一ビデオフレームの奇数及び偶数フィールドのうちの少なくとも１つ、及び、
ｂ）  前記第一ビデオフレームの奇数及び偶数フィールドのいちの少なくとも１つ並びに前記デジタルカメラによって取り込まれる第二ビデオフレームの奇数及び偶数フィールドのうちの少なくとも１つのうちの１つで取り込まれ、
当該方法は、前記複数のビデオフレームのそれぞれのうちの所与の画素画像の輝度レベルを比較することによって、前記１つ又はそれよりも多くのビデオフレームを前記複数のビデオフレームの残部から識別することをさらに含む、
請求項１に記載の方法。
【請求項５】
前記基準縁部の前記少なくとも一部を位置付けることは、前記基準縁部の前記少なくとも一部の画像を原型縁部から識別するために、相関アルゴリズムを適用することを含む、請求項４に記載の方法。
【請求項６】
印刷版が取り付けられる画像処理ドラムに対する前記印刷版の整列を決定する方法であって、
ａ）  前記印刷版の基準縁部の上の少なくとも１つの地点の場所を決定することを含み、前記基準縁部は、前記画像処理ドラムの周りで実質的に円周方向に延在し、前記場所を決定することは、各地点のために、
i)  各地点と関連する前記基準縁部の少なくとも一部を含む領域を照明することと、
ii)  デジタルカメラで前記領域の少なくとも１つのデジタルカメラ画像を取り込むことと、
iii)  前記デジタルカメラ画像内で前記基準縁部の前記少なくとも一部を位置付けることとを含み、
ｂ）  前記印刷版の前記整列を、少なくとも部分的に、
i)  各地点の前記デジタルカメラ画像内の前記基準縁部の前記少なくとも一部の前記場所と、
ii)  各地点の前記少なくとも１つのデジタルカメラ画像の取込み中の前記画像処理ドラムに対する前記デジタルカメラの位置とから決定することを含む、
方法。
【請求項７】
前記少なくとも１つの地点は、前記基準縁部上に少なくとも２つの円周方向に離間した地点を含む、請求項６に記載の方法。
【請求項８】
前記画像処理ドラムは、前記印刷版の縁部と接触する少なくとも１つの位置決めピンを含み、当該方法は、さらに、前記少なくとも１つの位置決めピンの位置から前記印刷版の整列を決定することを含む、請求項６に記載の方法。
【請求項９】
前記デジタルカメラは、前記画像処理ドラムに対する軸方向における移動のために動作可能なキャリッジの上に取り付けられ、当該方法は、さらに、前記キャリッジの軸方向位置から前記印刷版の整列を決定することを含む、請求項６に記載の方法。
【請求項１０】
印刷版の上に印刷画像を付与するための装置であって、
ａ）  実質的に円筒形の画像処理ドラムを含み、該画像処理ドラムは、前記印刷版の基準縁部が前記画像処理ドラムの周りで実質的に円周方向に延在する向きで前記印刷版を固定するための手段を含み、
ｂ）  前記基準縁部上の少なくとも１つの地点のそれぞれと関連する領域を照明するために動作可能な照明源を含み、各領域は、前記基準縁部の少なくとも一部を含み、
ｃ）  各領域のデジタルカメラ画像を取り込むために動作可能なデジタルカメラを含み、
ｄ）  １つ又はそれよりも多くのプロセッサを含み、該プロセッサは、
i)  各デジタルカメラ画像内に前記基準縁部の前記少なくとも一部を少なくとも位置付けることによって各地点の場所を決定するステップと、
ii)  各地点の前記決定された場所に従って前記印刷画像を表す印刷画像データを調節するステップとのために動作可能であり、該調節済み印刷画像データは、前記印刷画像を各地点の少なくとも前記決定された場所と整列するデータを含み、
ｅ）前記１つ又はそれよりも多くのプロセッサから前記調節済み印刷画像データを受け取るために並びに前記調節済み印刷画像データに従って前記印刷画像を前記印刷版上に付与するために動作可能な画像処理ヘッドを含む、
装置。
【請求項１１】
前記少なくとも１つの地点は、前記基準縁部上の少なくとも２つの円周方向に離間した地点を含み、
ａ）  前記１つ又はそれよりも多くのプロセッサは、さらに、
i)  前記少なくとも２つの円周方向に離間した地点のそれぞれの前記決定された場所に基づいて前記印刷画像データを変換印刷画像データに変換するために動作可能であり、前記変換印刷画像データは、前記印刷画像を前記基準縁部と整列するデータを含み、
ｂ）  前記画像処理ヘッドは、さらに、
i)  前記変換印刷画像データに従って前記印刷画像を前記印刷版上に付与するために動作可能であり、前記付与された印刷画像は、前記基準縁部と整列される、
請求項１０に記載の装置。
【請求項１２】
前記画像処理ヘッドを前記画像処理ドラムに対して軸方向に移動するために動作可能な移動可能なキャリッジを含み、該キャリッジは、さらに、デジタルカメラ及び前記照明源のうちの少なくとも１つを軸方向に移動するために動作可能である、請求項１１に記載の装置。
【請求項１３】
前記画像処理ドラムは、
ａ）  前記領域のそれぞれの照明、及び、
ｂ）  前記領域のそれぞれのデジタルカメラ画像の取込みのうちの少なくとも１つの間に回転のために動作可能である、
請求項１０に記載の装置。
【請求項１４】
前記デジタルカメラは、
ａ）  ＣＣＤセンサ、及び、
ｂ）  ＣＭＯＳセンサのうちの１つを含む、
請求項１１に記載の装置。
【請求項１５】
前記照明源は、ＬＥＤを含む、請求項１１に記載の装置。